(57)【要約】【課題】水を無駄遣いすることなく迅速に浴室床を暖めることが可能な浴室床散湯装置を提供する。【解決手段】浴槽１に接続した散湯管路２と、この散湯管路２を介して浴槽水を散水する散湯ユニット３と、散湯スイッチ４とを備え、散湯スイッチ４が操作されたときに、洗い場に向けて、浴槽の湯を散湯ユニット３より散湯できる構成としている。【選択図】図１
2005308354.tif 000002
【特許請求の範囲】
【請求項１】
浴槽に接続した散湯管路と、この散湯管路を介して浴槽水を散水する散湯ユニットと、散湯スイッチとを備え、
上記散湯スイッチが操作されたときに、洗い場に向けて、浴槽の湯を散湯ユニットより散湯することを可能とした浴室床散湯装置。
【請求項２】
請求項１において、
上記浴槽からの給湯を制御する制御部を備えた給湯器と、
上記散湯ユニットに接続された上記散湯管路の湯入り側と、上記給湯器の湯出側と、上記浴槽の湯出入り口とをそれぞれ接続した三方向弁と、
浴槽水の温度を検知する浴槽水温度センサーとをさらに備えており、
上記制御部は、上記散湯スイッチが操作されたときに、上記浴槽水温度センサーが上記浴槽内に適温の湯を検知した場合は、浴槽の湯を散湯ユニットに供給する一方、上記浴槽内に適温の湯を検知しない場合は、上記給湯器より湯を散湯ユニットに供給するように、上記三方向弁を切換制御することを特徴とする、浴室床散湯装置。
【請求項３】
請求項２において、
上記浴槽には、上記給湯器との間で湯を循環させて給湯させるための往き管路と戻り管路とを含んだ循環金具が設けられ、
上記循環金具の往き管路を湯出側として上記三方向弁に接続させた構造となっていることを特徴とする、循環型浴槽に対応した浴室床散湯装置。
【請求項４】
請求項１〜３のいずれかにおいて、
散湯ユニットに湯を供給するためのポンプをさらに備えている浴室床散湯装置。
【発明の詳細な説明】
【技術分野】
【０００１】
本発明は、浴槽の湯を浴室の洗い場床面に対して散水する浴室床散湯装置に関するものである。
【背景技術】
【０００２】
従来、入浴前などに浴室の床（洗い場）を暖める方法として、給湯器からの湯を散湯ノズルで散湯する方法がある。
次に示す特許文献には、この種の散湯装置が記載されている。
【特許文献１】特開２００１−６５８９７号公報
【発明の開示】
【発明が解決しようとする課題】
【０００３】
ところが、給湯器から湯を供給する散湯装置では、スイッチ操作などで散湯が指示されると、まず配管にたまった冷水が排出され、次に給湯器から十分に水温が上がっていない水が供給され、ついで適温の湯が供給されるため、浴室床を暖めるために十分な温度の湯が散湯されるまでには、しばらくの時間を要することとなる。
【０００４】
なお、上記文献に記載の散湯装置には温度センサーが設けられ、設定温度より低い湯を捨てるようにしているので、冷水が散水されることはないが、時間を要することにはちがいない。
【０００５】
また、給湯器から供給される湯は、床を暖めたあとは排出されてしまうため、せっかく装置を設置したにもかかわらず、水や湯沸しの無駄遣いを避けるため、あまり使用していない利用者もいる。
【０００６】
本発明はこのような問題を解決すべく提案されたもので、その目的は、水や燃料を無駄遣いすることなく迅速に浴室床を暖めることが可能な浴室床散湯装置を提供することにある。
【課題を解決するための手段】
【０００７】
上記目的を達成するために、請求項１に記載の浴室床散湯装置は、浴槽に接続した散湯管路と、この散湯管路を介して浴槽水を散水する散湯ユニットと、散湯スイッチとを備え、散湯スイッチが操作されたときに、洗い場に向けて、浴槽の湯を散湯ユニットより散湯できる構成としている。
【０００８】
請求項２では、請求項１において、浴槽からの給湯を制御する制御部を備えた給湯器と、散湯ユニットに接続された散湯管路の湯入り側と、給湯器の湯出側と、浴槽の湯出入り口とをそれぞれ接続した三方向弁と、浴槽水の温度を検知する浴槽水温度センサーとをさらに備えており、制御部は、散湯スイッチが操作されたときに、浴槽水温度センサーが浴槽内に適温の湯を検知した場合は、浴槽の湯を散湯ユニットに供給する一方、浴槽内に適温の湯を検知しない場合は、給湯器より湯を散湯ユニットに供給するように、三方向弁を切換制御することを特徴としている。
【０００９】
請求項３では、請求項２において、浴槽には給湯器との間で湯を循環させて給湯させるための往き管路と戻り管路とを含んだ循環金具が設けられ、循環金具の往き管路を湯出側として三方向弁に接続させた構造となっていることを特徴している。
つまり、本散湯装置は、追い炊きも可能な循環型の浴槽システムにも対応している。
【００１０】
請求項４では、請求項１〜３のいずれかにおいて、散湯ユニットに湯を供給するためのポンプをさらに備えていることを特徴としている。
【発明の効果】
【００１１】
請求項１〜４に記載の浴室床散湯装置は、浴槽の湯を利用して散湯ユニットから散湯する構成としているので、浴槽に適温の湯さえあればすぐに散湯でき、入浴前に洗い場を暖めることができる。
また、浴槽の湯を再利用しているので、給湯器で湯沸しする必要がなく、水やガスなどの資源を節約することができる。
請求項２〜４では、次に示す効果をさらに期待することができる。
【００１２】
請求項２の散湯装置は給湯器、三方向弁、浴槽水温度センサーをさらに備えたものであり、三方向弁と温度センサーにより、浴槽に適温の湯があるかどうかの判断を行い、適温の湯があるときのみ浴槽の湯を利用し、その他の場合は給湯器に切り換えて湯を散湯できるようにしている。そのため、浴槽に湯がないときでも、床面を暖めることができる。
もちろん、三方向弁を利用しているため、弁を切換制御することにより給湯器から浴槽への通常給水も可能となっている。
【００１３】
請求項３は循環金具を設けた循環型浴槽に対応しているため、浴槽と給湯器の切換が可能なうえに、追い炊き機能も動作させることができる。
【００１４】
請求項４では、浴槽から散湯ユニットへの湯供給のためのポンプを備えているため、十分な水圧で散湯することができる。
【発明を実施するための最良の形態】
【００１５】
以下に、本発明の実施の形態について、添付図面を参照しながら説明する。
【実施例１】
【００１６】
図１は、本発明の浴室床散湯装置の構成例を示した図である。
本発明の浴室床散湯装置は、浴槽１の湯を供給するための散湯管路２を設け、この管路２を通って供給されてきた湯を、散湯ノズルを有した散湯ユニット３から床面に対して散湯するようにしたものである。
なお、散湯ユニット３は、浴槽１のエプロンなどに取り付けられるものであり、床面からの位置（高さ）は限定されるものではないが、ポンプを設けない場合は、少ない浴槽の湯でも散湯できるように、低い位置に設置するほうが望ましい。
また、図２（ａ）、（ｂ）は浴室平面図であり、散湯ユニット３の取り付け２例を示している。図示するように、浴槽１の浴室ドアに近い位置に散湯ユニット３を配置することにより、洗い場のドア前付近に散湯することができる。
【００１７】
また、この例で使用される給湯システムは給湯器５から浴槽１への湯はりと追い炊きが可能なもので、そのために給湯器５から浴槽１への往き管路８と浴槽１から給湯器５への戻り管路９とを接続した循環金具７を浴槽１に設けている。そして、給湯器５の湯の出側である往き管路８と、散湯管路２の湯入り側と、浴槽の湯出入り口とをそれぞれ接続した三方向弁６をさらに備え、脱衣室等に設けた散湯スイッチ４を操作して浴室床への散湯が指示されたときには、浴槽１に設けた浴槽水温度センサー１０と水位センサー（不図示）とにより、浴槽１または給湯器５のいずれかから湯を供給できるようにしている。
【００１８】
ここで、水位センサーは給湯器５内に設けた水圧センサーで構成されており、水圧により湯量を判断するようになっている。なお、水位センサーはこれに限らず、浴槽に設けた液面センサーであってもよい。
また、給湯器５は給湯制御を行う制御部５ａを備えており、この制御部５ａは給湯器５から浴槽１への湯供給、浴槽１または給湯器５からの散湯ユニット３への湯供給を行うために、三方向弁７の切換制御を行っている。
なお、図１では、電源部を省略している。
【００１９】
図３は、三方向弁７の切換動作を説明するための図である。（ａ）は通常の湯はり、追い炊きを示し、（ｂ）は浴槽に湯のないときの散湯、（ｃ）は浴槽に適温の湯があるときの散湯をそれぞれ示している。なお、図中の矢印は湯の流れを示している。
【００２０】
（ａ）浴槽への湯はり、または追い炊きが指示されると、三方向弁６の散湯管路２の入り側６ｃを閉じ、浴槽１への湯はりまたは追い炊きを開始する。湯はりの場合は、給湯器５から往き管路８を介して送られてきた湯は三方向弁６を介して浴槽内に送り込まれ、追い炊きの場合は、給湯器５から湯が三方向弁６を介して浴槽内に送り込まれるとともに、浴槽１の湯は戻り管路９を通って給湯器５へ戻され、湯が循環していく。
【００２１】
（ｂ）浴槽に湯がないときに散湯スイッチ４が操作された場合は、三方向弁６の浴槽の湯出入り口６ｂを閉じ、給湯器５から散湯ユニット３へ湯を供給する。供給された湯は散湯ノズル３ａから浴室床に散湯される。
【００２２】
（ｃ）浴槽に適温の湯があるときに散湯スイッチ４が操作されると、三方向弁６の給湯器湯出側６ａを閉じ、浴槽１から散湯ユニット３へ湯を供給する。供給された湯は散湯ノズル３ａから浴室床に散湯される。
【００２３】
なお、図４（ｂ）、（ｃ）における適温の湯の有無判断は、浴槽水温度センサー１０と水位センサーの検出結果にもとづいて行われる。図４には、両センサー１０の検出組み合わせにより判断された散湯動作を表により示している。
すなわち、浴槽水温度センサー１０、水位センサーがともにオンであれば、浴槽には適温の湯が適量存在するものと制御部５ａは判断し、浴槽水を散湯し（状態１）、それ以外の場合は給湯器からの散湯を行う（状態２〜４）。つまり、浴槽水温度センサー１０が適温を検知しても、水位センサーにより所定の湯量なしと判断された場合は、給湯器５からの湯を供給する。
また、浴槽水温度センサー１０が液体の温度のみを検知できるようにし、これのみで上記の判断を行うようにし、水位センサーを使用しない構成としてもよい。
【００２４】
以上に示したように、浴槽に適温の湯があるときは、浴槽の湯を供給するようにしているので、スイッチ操作をしてすぐに浴室床面に対して散湯することができる。また、浴槽の湯を再利用するので、給湯器で湯沸しする必要がなく、水やガスなどの資源を節約することができる。
さらに、三方向弁を利用して給湯器からも散湯できる構成となっているので、センサーにより浴槽内の適温湯がないと判断したときには、給湯器から湯を供給させて散湯することができる。
【００２５】
なお、本実施例では図示していないが、浴槽の湯量が少ないときでも一定の水圧を保ちながら散湯させるために、浴槽の湯をポンプで引いて供給するようにしてもよい。
【実施例２】
【００２６】
図５は、他の浴室床散湯装置の構成を示した図である。図１と同一の符号を示したものについては、説明を省略する。
図示するように、浴槽１には給湯器からの管路は接続されておらず、散湯ユニット３に対する散湯管路２が散湯弁２１を介して接続されている。また、浴槽付近の適所にはポンプ２２が、脱衣室等には散湯スイッチ４が設けられている。また、浴槽付近または散湯ユニット３の中には、散湯スイッチ４の操作を検知して散湯弁２１を開きポンプ２２を作動する制御手段２３が設置されている。
【００２７】
すなわち、この構成によれば、散湯スイッチ４が操作されたときには、制御手段２３の制御指示により、散湯弁２１が開となり、ポンプ２２が作動して散湯管路２を介して浴槽の湯を散湯ユニット３へと供給できるようになっている。
【図面の簡単な説明】
【００２８】
【図１】本発明の浴室床散湯装置の構成（実施例１）を示す図である。
【図２】（ａ）、（ｂ）は散湯ユニットの取り付け例を示した浴室平面図である。
【図３】本発明装置で使用する三方向弁の切換動作を説明するための図である。（ａ）は通常給湯、追い炊き、（ｂ）は浴槽に湯のないときの散湯、（ｃ）は浴槽に適温の湯があるときの散湯を示す図である。
【図４】センサーの状態とそのときの動作を対応させた表である。
【図５】本発明の浴室床散湯装置の構成（実施例２）を示す図である。
【符号の説明】
【００２９】
１      浴槽
２      散湯管路
３      散湯ユニット
４      散湯スイッチ
５      給湯器
５ａ      制御部
６      三方向弁
６ａ      給湯器湯出側
６ｂ      浴槽湯出入口
６ｃ      散湯管路入り側
７      循環金具
８      往き管路
９      戻り管路
１０      浴槽水温度センサー
【図１】
2005308354.tif 000003
【図２】
2005308354.tif 000004
【図３】
2005308354.tif 000005
【図４】
2005308354.tif 000006
【図５】
2005308354.tif 000007